(57)【要約】【課題】再生器の熱交換を良好に維持させて、より一層の高比出力化を図った再生式ガスタービンプラントに蒸気タービンおよび排熱回収ボイラを組み合わせたコンバインドサイクル発電プラントを提供する。【解決手段】本発明に係る再生式ガスタービンプラントに蒸気タービンおよび排熱回収ボイラを組み合わせたコンバインドサイクル発電プラントは、空気圧縮機１、再生器２、ガスタービン燃焼器３、ガスタービン４、発電機５で構成する再生式ガスタービンプラント７のうち、空気圧縮機１と再生器２との間に熱交換器６を設けた。そして、熱交換器６は、空気圧縮機１からの圧縮空気と冷却媒体供給部１１からの冷却媒体とを熱交換させた後、熱交換させた冷却媒体を前記圧縮空気に合流させて再生器２に供給する。【選択図】  図１
2005214143.tif 000002
【特許請求の範囲】
【請求項１】
空気圧縮機、再生器、ガスタービン燃焼器、ガスタービン、発電機を流体の流れに沿って順に配置した再生式ガスタービンの前記空気圧縮機と前記再生器との間に設けた熱交換器と、この熱交換器に接続され、前記ガスタービンからの排熱を熱源とし、前記熱交換器で前記空気圧縮機からの圧縮空気と冷却媒体供給部から供給された冷却媒体とを熱交換させ、熱交換後の冷却媒体から蒸気を生成する排熱回収ボイラと、この排熱回収ボイラで生成された蒸気に膨張仕事をさせる蒸気タービンとを備えたことを特徴とする再生式ガスタービンプラントに蒸気タービンおよび排熱回収ボイラを組み合わせたコンバインドサイクル発電プラント。
【請求項２】
熱交換器は、空気圧縮機からの圧縮空気を加熱源とし、冷却媒体供給部から供給される冷却媒体を熱交換させ、熱交換させた冷却媒体を排熱回収ボイラを介して前記空気圧縮機からの圧縮空気に合流させる圧縮空気・冷却媒体合流系を備えたことを特徴とする請求項１記載の再生式ガスタービンプラントに蒸気タービンおよび排熱回収ボイラを組み合わせたコンバインドサイクル発電プラント。
【請求項３】
熱交換器は、空気圧縮機からの圧縮空気を加熱源とし、冷却媒体供給部から供給される冷却媒体を熱交換させ、熱交換させた冷却媒体を排熱ボイラに供給する冷却媒体回収系を備えたことを特徴とする請求項１記載の再生式ガスタービンプラントに蒸気タービンおよび排熱回収ボイラを組み合わせたコンバインドサイクル発電プラント。
【請求項４】
排熱回収ボイラは、冷却媒体供給部から熱交換器、冷却媒体回収系を介して供給される冷却媒体から蒸気を生成する蒸気生成系を備えたことを特徴とする請求項１記載の再生式ガスタービンプラントに蒸気タービンおよび排熱回収ボイラを組み合わせたコンバインドサイクル発電プラント。
【請求項５】
蒸気生成系は、冷却媒体から生成した蒸気のうち、一部をガスタービン燃焼器に供給するガスタービン燃焼器蒸気冷却系と、さらに一部をガスタービンに供給するガスタービン蒸気冷却系と、残りを蒸気タービンに供給する蒸気供給系とを備えたことを特徴とする請求項４記載の再生式ガスタービンプラントに蒸気タービンおよび排熱回収ボイラを組み合わせたコンバインドサイクル発電プラント。
【請求項６】
空気圧縮機、再生器、ガスタービン燃焼器、ガスタービン、発電機を流体の流れに沿って順に配置した再生式ガスタービンの前記空気圧縮機と前記再生器との間に設けた熱交換器と、この熱交換器と別置の排熱回収ボイラとの間を、冷却媒体供給部から供給される冷却媒体を循環させる循環系と、前記ガスタービンから再生器を介して排熱回収ボイラに供給される排熱を加熱源として蒸気を生成し、生成した蒸気に膨張仕事をさせる蒸気タービンとを備えたことを特徴とする再生式ガスタービンプラントに蒸気タービンおよび排熱回収ボイラを組み合わせたコンバインドサイクル発電プラント。
【請求項７】
空気圧縮機、再生器、ガスタービン燃焼器、ガスタービン、発電機を流体の流れに沿って順に配置した再生式ガスタービンの前記空気圧縮機と前記再生器との間に設けた熱交換器と、この熱交換器に接続され、前記ガスタービンからの排熱を熱源とし、冷却媒体供給部から供給される冷却媒体を加熱する排熱回収ボイラと、この排熱回収ボイラで加熱した冷却媒体を前記熱交換器に供給し、前記空気圧縮機から供給される圧縮空気を熱源とし蒸気を生成し、生成した蒸気に膨張仕事をさせる蒸気タービンとを備えたことを特徴とする再生式ガスタービンプラントに蒸気タービンおよび排熱回収ボイラを組み合わせたコンバインドサイクル発電プラント。
【請求項８】
熱交換器は、空気圧縮機からの圧縮空気を加熱源とし、冷却媒体供給部から排熱回収ボイラを介して供給される冷却媒体を蒸気に生成し、生成された蒸気を前記空気圧縮機から供給される圧縮空気に合流させる圧縮空気・冷却媒体合流系を備えたことを特徴とする請求項７記載の再生式ガスタービンプラントに蒸気タービンおよび排熱回収ボイラを組み合わせたコンバインドサイクル発電プラント。
【請求項９】
熱交換器は、空気圧縮機からの圧縮空気を加熱源とし、冷却媒体供給部から排熱回収ボイラを介して供給される冷却媒体を蒸気に生成し、生成された蒸気のうち、一部を第１蒸気生成系を介してガスタービン燃焼器に供給するガスタービン燃焼器蒸気冷却系と、残り一部を第１蒸気生成系を介してガスタービンに供給するガスタービン蒸気冷却系とを備えたことを特徴とする請求項７記載の再生式ガスタービンプラントに蒸気タービンおよび排熱回収ボイラを組み合わせたコンバインドサイクル発電プラント。
【請求項１０】
熱交換器は、空気圧縮機からの圧縮空気を加熱源とし、冷却媒体供給部から排熱回収ボイラを介して供給される冷却媒体を蒸気に生成し、生成された蒸気を第１蒸気生成系を介して蒸気タービンに供給する蒸気供給系を、排熱回収ボイラに設けた第２蒸気生成系に接続させる構成にしたことを特徴とする請求項７記載の再生式ガスタービンプラントに蒸気タービンおよび排熱回収ボイラを組み合わせたコンバインドサイクル発電プラント。
【発明の詳細な説明】
【技術分野】
【０００１】
本発明は、比出力を増加させるに好適な再生式ガスタービンプラントに蒸気タービンおよび排熱回収ボイラを組み合わせたコンバインドサイクル発電プラントに関する。
【背景技術】
【０００２】
最近の火力発電プラントでは、ガスタービンプラントに蒸気タービンおよび排熱回収ボイラを組み合わせたコンバインドサイクル発電プラントが高いプラント熱効率を維持できる点から主流を占めているが、それでもより一層高いプラント熱効率や比出力の強化が見直されている。その一つに再生式ガスタービンプラントに蒸気タービンおよび排熱回収ボイラを組み合わせたコンバインドサイクル発電プラントが提案されている。
【０００３】
この再生式ガスタービンプラントに蒸気タービンおよび排熱回収ボイラを組み合わせたコンバインドサイクル発電プラントは、例えば、特開２０００−２７６６２号公報や特開２００３−２０６７５０号公報に見られるように、空気圧縮機、ガスタービン燃焼器、ガスタービンに再生器を設けたガスタービンプラントに蒸気タービンおよび排熱回収ボイラを組み合わせ、ガスタービンからの排熱（排ガス）を熱源にして排熱回収ボイラで蒸気を発生させ、発生させた蒸気を蒸気タービンおよび再生器のそれぞれに供給し、再生器に供給した蒸気を加熱源とし、空気圧縮機からの空気を加熱してガスタービン燃焼器に供給し、ガスタービン燃焼器に供給する空気の高温化に対する投入燃料を少なくし、全体としてプラント熱効率を向上させたものである。
【０００４】
再生式ガスタービンプラントに蒸気タービンおよび排熱回収ボイラを組み合わせたコンバインドサイクル発電プラントは、試算によれば、従来のコンベンショナルなコンバインドサイクル発電プラントのプラント熱効率（約５０％前後）に較べて向上しており、その成果が期待されている。
【特許文献１】特開２０００−２７６６２号公報
【特許文献２】特開２００３−２０６７５０号公報
【発明の開示】
【発明が解決しようとする課題】
【０００５】
この種のコンバインドサイクル発電プラントは、ガスタービン燃焼器に供給する空気を高温化させ、高温化させた空気に代って投入する燃料を少なくすることができるので、プラント熱効率が向上している。
【０００６】
しかし、この種のコンバインドサイクル発電プラントは、プラント熱効率が向上するものの、基本的サイクル理論が変っていないから出力の増加につながっていない。
【０００７】
出力を増加させるには、空気圧縮機からの圧縮空気を一旦冷却させた後、再熱させて高温化することが必要とされている。
【０００８】
また、従来の再生器は、加熱体と被加熱体との熱交換を良好にさせるため、空気圧縮機から出る圧縮空気とガスタービンから出る排熱との間に温度差を確保する必要上、空気圧縮機から出る圧縮空気の温度を上げないようガスタービンの圧力比を低く抑えていた。
【０００９】
しかし、ガスタービンの圧力比を低く抑えていると、この種の発電プラントは、再生器の熱交換を良好にさせていても比出力の増加が望めない等の問題を抱えていた。特に、電力消費の激しい時期や時間帯では、高出力化が望まれていた。
【００１０】
本発明は、このような事情に基づいてなされたもので、従来の低い圧力比を維持させて再生器の熱交換を良好にさせるとともに、より一層の高比出力化を図った再生式ガスタービンプラントに蒸気タービンおよび排熱回収ボイラを組み合わせたコンバインドサイクル発電プラントを提供することを目的とする。
【課題を解決するための手段】
【００１１】
本発明に係る再生式ガスタービンプラントに蒸気タービンおよび排熱回収ボイラを組み合わせたコンバインドサイクル発電プラントは、上述の目的を達成するために、請求項１に記載したように、空気圧縮機、再生器、ガスタービン燃焼器、ガスタービン、発電機を流体の流れに沿って順に配置した再生式ガスタービンの前記空気圧縮機と前記再生器との間に設けた熱交換器と、この熱交換器に接続され、前記ガスタービンからの排熱を熱源とし、前記熱交換器で前記空気圧縮機からの圧縮空気と冷却媒体供給部から供給された冷却媒体とを熱交換させ、熱交換後の冷却媒体から蒸気を生成する排熱回収ボイラと、この排熱回収ボイラで生成された蒸気に膨張仕事をさせる蒸気タービンとを備えたものである。
【００１２】
また、本発明に係る再生式ガスタービンプラントに蒸気タービンおよび排熱回収ボイラを組み合わせたコンバインドサイクル発電プラントは、上述の目的を達成するために、請求項２に記載したように、熱交換器は、空気圧縮機からの圧縮空気を加熱源とし、冷却媒体供給部から供給される冷却媒体を熱交換させ、熱交換させた冷却媒体を排熱回収ボイラを介して前記空気圧縮機からの圧縮空気に合流させる圧縮空気・冷却媒体合流系を備えたものである。
【００１３】
また、本発明に係る再生式ガスタービンプラントに蒸気タービンおよび排熱回収ボイラを組み合わせたコンバインドサイクル発電プラントは、上述の目的を達成するために、請求項３に記載したように、熱交換器は、空気圧縮機からの圧縮空気を加熱源とし、冷却媒体供給部から供給される冷却媒体を熱交換させ、熱交換させた冷却媒体を排熱ボイラに供給する冷却媒体回収系を備えたものである。
【００１４】
また、本発明に係る再生式ガスタービンプラントに蒸気タービンおよび排熱回収ボイラを組み合わせたコンバインドサイクル発電プラントは、上述の目的を達成するために、請求項４に記載したように、排熱回収ボイラは、冷却媒体供給部から熱交換器、冷却媒体回収系を介して供給される冷却媒体から蒸気を生成する蒸気生成系を備えたものである。
【００１５】
また、本発明に係る再生式ガスタービンプラントに蒸気タービンおよび排熱回収ボイラを組み合わせたコンバインドサイクル発電プラントは、上述の目的を達成するために、請求項５に記載したように、蒸気生成系は、冷却媒体から生成した蒸気のうち、一部をガスタービン燃焼器に供給するガスタービン燃焼器蒸気冷却系と、さらに一部をガスタービンに供給するガスタービン蒸気冷却系と、残りを蒸気タービンに供給する蒸気供給系とを備えたものである。
【００１６】
また、本発明に係る再生式ガスタービンプラントに蒸気タービンおよび排熱回収ボイラを組み合わせたコンバインドサイクル発電プラントは、上述の目的を達成するために、請求項６に記載したように、空気圧縮機、再生器、ガスタービン燃焼器、ガスタービン、発電機を流体の流れに沿って順に配置した再生式ガスタービンの前記空気圧縮機と前記再生器との間に設けた熱交換器と、この熱交換器と別置の排熱回収ボイラとの間を、冷却媒体供給部から供給される冷却媒体を循環させる循環系と、前記ガスタービンから再生器を介して排熱回収ボイラに供給される排熱を加熱源として蒸気を生成し、生成した蒸気に膨張仕事をさせる蒸気タービンとを備えたものである。
【００１７】
また、本発明に係る再生式ガスタービンプラントに蒸気タービンおよび排熱回収ボイラを組み合わせたコンバインドサイクル発電プラントは、上述の目的を達成するために、請求項７に記載したように、空気圧縮機、再生器、ガスタービン燃焼器、ガスタービン、発電機を流体の流れに沿って順に配置した再生式ガスタービンの前記空気圧縮機と前記再生器との間に設けた熱交換器と、この熱交換器に接続され、前記ガスタービンからの排熱を熱源とし、冷却媒体供給部から供給される冷却媒体を加熱する排熱回収ボイラと、この排熱回収ボイラで加熱した冷却媒体を前記熱交換器に供給し、前記空気圧縮機から供給される圧縮空気を熱源とし蒸気を生成し、生成した蒸気に膨張仕事をさせる蒸気タービンとを備えたものである。
【００１８】
また、本発明に係る再生式ガスタービンプラントに蒸気タービンおよび排熱回収ボイラを組み合わせたコンバインドサイクル発電プラントは、上述の目的を達成するために、請求項８に記載したように、熱交換器は、空気圧縮機からの圧縮空気を加熱源とし、冷却媒体供給部から排熱回収ボイラを介して供給される冷却媒体を蒸気に生成し、生成された蒸気を前記空気圧縮機から供給される圧縮空気に合流させる圧縮空気・冷却媒体合流系を備えたものである。
【００１９】
また、本発明に係る再生式ガスタービンプラントに蒸気タービンおよび排熱回収ボイラを組み合わせたコンバインドサイクル発電プラントは、上述の目的を達成するために、請求項９に記載したように、熱交換器は、空気圧縮機からの圧縮空気を加熱源とし、冷却媒体供給部から排熱回収ボイラを介して供給される冷却媒体を蒸気に生成し、生成された蒸気のうち、一部を第１蒸気生成系を介してガスタービン燃焼器に供給するガスタービン燃焼器蒸気冷却系と、残り一部を第１蒸気生成系を介してガスタービンに供給するガスタービン蒸気冷却系とを備えたものである。
【００２０】
また、本発明に係る再生式ガスタービンプラントに蒸気タービンおよび排熱回収ボイラを組み合わせたコンバインドサイクル発電プラントは、上述の目的を達成するために、請求項１０に記載したように、熱交換器は、空気圧縮機からの圧縮空気を加熱源とし、冷却媒体供給部から排熱回収ボイラを介して供給される冷却媒体を蒸気に生成し、生成された蒸気を第１蒸気生成系を介して蒸気タービンに供給する蒸気供給系を、排熱回収ボイラに設けた第２蒸気生成系に接続させる構成にしたものである。
【発明の効果】
【００２１】
本発明に係る再生式ガスタービンプラントに蒸気タービンおよび排熱回収ボイラを組み合わせたコンバインドサイクル発電プラントは、空気圧縮機と再生器との間に熱交換器を設け、冷却媒体供給部から熱交換器に供給される冷却媒体で空気圧縮機から熱交換器に供給する圧縮空気を冷却し、熱交換器で熱を失った冷却媒体を排熱回収ボイラでガスタービンから再生器を介して供給された排熱を熱源として再熱させて蒸気にし、その蒸気の一部を駆動用または冷却用として蒸気タービン、ガスタービン燃焼器、およびガスタービンに供給するとともに、その蒸気の残りを空気圧縮機から熱交換器を介して供給される圧縮空気に合流させ、再生器で再熱してガスタービン燃焼に供給する構成にしたので、再生器の熱交換を良好に維持させて、比出力を増加させることができる。
【発明を実施するための最良の形態】
【００２２】
以下、本発明に係る再生式ガスタービンプラントに蒸気タービンおよび排熱回収ボイラを組み合わせたコンバインドサイクル発電プラントの実施形態を図面および図面に付した符号を引用して説明する。
【００２３】
図１は、本発明に係る再生式ガスタービンプラントに蒸気タービンおよび排熱回収ボイラを組み合わせたコンバインドサイクル発電プラントの第１実施形態を示す系統ブロック図である。
【００２４】
本実施形態に係る再生式ガスタービンプラントに蒸気タービンおよび排熱回収ボイラを組み合わせたコンバインドサイクル発電プラントは、流体の流れに沿って順次配置する空気圧縮機１、再生器２、ガスタービン燃焼器３、発電機５を軸結合させたガスタービン４を備えるとともに、空気圧縮機１と再生器２との間に設けた熱交換器６を備える再生式ガスタービンプラント７に別置きの発電機８を軸結合させた蒸気タービン９と、排熱回収ボイラ１０とを備えている。
【００２５】
また、再生式ガスタービンプラント７は、熱交換器６に冷却媒体供給部１１からの冷却媒体を供給する冷却媒体供給系１２と、熱交換器６で空気圧縮機１からの圧縮空気を加熱源として加温させる冷却媒体のうち、一部を排熱回収ボイラ１０を介して上述熱交換器６からの圧縮空気に合流させるために供給する圧縮空気・冷却媒体合流系１３と、残りを排熱回収ボイラ１０に供給する冷却媒体回収系１４とを備えている。
【００２６】
また、排熱回収ボイラ１０は、熱交換器６の冷却媒体回収系１４からの冷却媒体を蒸気にする蒸気生成系１５と、この蒸気生成系１５から生成される蒸気のうち、一部をガスタービン燃焼器３の高温部、例えば燃焼器ライナ、トラジションピース等を冷却させるために供給するガスタービン燃焼器蒸気冷却系１６と、一部はガスタービン４の高温部、例えばタービンノズル、タービン動翼等を冷却させるために供給するガスタービン蒸気冷却系１７と、残りを蒸気タービン９に供給する蒸気供給系１８とを備えている。
【００２７】
また、排熱回収ボイラ１０は、ガスタービン４から出た排熱（排ガス）を再生器２を介して回収させる排熱回収系１９を備えている。
【００２８】
なお、空気圧縮機１と再生器２との間に設けた熱交換器６が何らかの事情で使用できなくなった場合、再生式ガスタービンプラント７は、空気圧縮機１からの圧縮空気をガスタービン燃焼器３に供給して燃料Ｆとともに燃焼ガスを生成する一方、ガスタービン４の高温部に圧縮空気を送って冷却する冷却空気供給系２０を備えている。
【００２９】
このような構成を備える本実施形態に係る再生式ガスタービンプラントに蒸気タービンおよび排熱回収ボイラを組み合わせたコンバインドサイクル発電プラントは、空気圧縮機１で大気を吸い込んで高圧にした圧縮空気を熱交換器６に送り、ここで冷却媒体供給部１１から冷却媒体供給系１２を介して供給される冷却媒体を加温させて熱を失わせる。
【００３０】
加温された冷却媒体のうち、一部は排熱回収ボイラ１０でガスタービン４から再生器２、排熱回収系１９を介して供給される排熱を熱源として再熱され、再熱後、圧縮空気・冷却媒体合流系１３を介して熱交換器６からの圧縮空気と合流し、合流後、再生器２で再熱され、さらにガスタービン燃焼器３で燃料Ｆとともに燃焼ガスを生成する。生成された燃焼ガスは、ガスタービン４で膨張仕事をし、その駆動力で発電機５を廻し、電気出力する。
【００３１】
また、加温された冷却媒体の残りの一部は、冷却媒体回収系１４、蒸気生成系２５を介して排熱回収ボイラ１０に供給され、ここで蒸気を生成する。
【００３２】
生成された蒸気のうち、一部は蒸気供給系１８を介して蒸気タービン９に供給され、ここで、膨張仕事をし、その駆動力で発電機８を廻し、電気出力する。
【００３３】
また、残りの蒸気のうち、一部はガスタービン燃焼器冷却系１６を介してガスタービン燃焼器３に供給され、その高温部が蒸気冷却される。
【００３４】
また、残りの蒸気のうち、さらに一部はガスタービン冷却系１７を介してガスタービン４に供給され、その高温部が蒸気冷却される。
【００３５】
このように、本実施形態は、空気圧縮機１と再生器２との間に熱交換器６を設け、この熱交換器６で空気圧縮機１からの圧縮空気を冷却媒体供給部１１からの冷却媒体で冷却させて温度を低くさせるとともに、温度を低くさせた圧縮空気に加温させた冷却媒体を冷却媒体供給系１２、排熱回収ボイラ１０、圧縮空気・冷却媒体合流系１３を介して合流させ、その合流流体を再生器２、ガスタービン燃焼器３、ガスタービン４に順に供給する構成にしたので、再生器２におけるガスタービン４からの排熱と合流流体との熱交換を良好に維持させてより一層の高比出力化を図ることができる。
【００３６】
また、本実施形態は、ガスタービン４から生成された排熱を排熱回収ボイラ１０に供給し、ここで排熱を熱源として冷却媒体供給部１１から熱交換器６を介して供給される冷却媒体を蒸気し、この蒸気を蒸気タービン９、ガスタービン燃焼器３、ガスタービン４に供給して熱回収を図ったので、プラント熱効率を向上させることができる。
【００３７】
図２は、本発明に係る再生式ガスタービンプラントに蒸気タービンおよび排熱回収ボイラを組み合わせたコンバインドサイクル発電プラントの第２実施形態を示す系統ブロック図である。
【００３８】
なお、第１実施形態に示された構成部品と同一構成部品には同一符号を付す。
【００３９】
本実施形態に係る再生式ガスタービンプラントに蒸気タービンおよび排熱回収ボイラを組み合わせたコンバインドサイクル発電プラントは、流体の流れに沿って順に、空気圧縮機１、再生器２、燃焼器３、ガスタービン４、発電機５を配置した再生式ガスタービンプラント７のうち、空気圧縮機１と再生器２との間に熱交換器６を設けるとともに、この熱交換器６を別置きの排熱回収ボイラ１０に接続させ、冷却媒体供給部１１からの冷却媒体を循環させる循環系２１を設けたものである。
【００４０】
このように、本実施形態に係る再生式ガスタービンプラントに蒸気タービンおよび排熱回収ボイラを組み合わせたコンバインドサイクル発電プラントは、熱交換器６で空気圧縮機１からの圧縮空気を冷却媒体供給部１１からの冷却媒体で冷却させ、温度を低くした圧縮空気を再生器２で再熱させる一方、圧縮空気から得た冷却媒体の熱を循環系２１を介して排熱回収ボイラ１０に与える構成にしたので、再生器２における熱交換器６からの圧縮空気とガスタービン４からの排熱との熱交換を良好に維持させてより一層の高比出力化を図ることができる。
【００４１】
図３は、本発明に係る再生式ガスタービンプラントに蒸気タービンおよび排熱回収ボイラを組み合わせたコンバインドサイクル発電プラントの第３実施形態を示す系統ブロック図である。
【００４２】
本実施形態に係る再生式ガスタービンプラントに蒸気タービンおよび排熱回収ボイラを組み合わせたコンバインドサイクル発電プラントは、第１実施形態と同様に、空気圧縮機１、再生器２、ガスタービン燃焼器３、発電機５を軸結合させたガスタービン４を備えるとともに、空気圧縮機１と再生器２との間に設けた熱交換器６を備える再生式ガスタービンプラント７に別置きの発電機８を軸結合させた蒸気タービン９と、排熱回収ボイラ１０とを備えている。
【００４３】
また、再生式ガスタービンプラントに蒸気タービンおよび排熱回収ボイラを組み合わせたコンバインドサイクル発電プラントは、排熱回収ボイラ１０に冷却媒体供給部１１からの冷却媒体を供給する冷却媒体供給系１２と、排熱回収ボイラ１０でガスタービン４から再生器２、排熱回収系１９を介して供給される排熱を加熱源とし、加温させた冷却媒体を熱交換器６に供給して蒸気を生成する第１蒸気生成系１５と、熱交換器６および第１蒸気生成系１５で生成される蒸気のうち、一部を空気圧縮機１から熱交換器６を介して供給される圧縮空気に合流させる圧縮空気・冷却媒体合流系１３と、一部をガスタービン燃焼器３の高温部、例えば燃焼器ライナ、トラジションピース等に供給して冷却させるためのガスタービン燃焼器蒸気冷却系１６と、一部をガスタービン４の高温部、例えばタービンノズル、タービン動翼等に供給して冷却させるためのガスタービン蒸気冷却系１７と、残りを排熱回収ボイラ１０の第２蒸気生成系１５ｂで再び加熱して蒸気タービン９に供給する蒸気供給系１８とを備えている。
【００４４】
なお、他の構成要素は、第１実施形態に示した構成要素と同一なので、同一符号を付し、重複説明を省略する。
【００４５】
このように、本実施形態は、空気圧縮機１と再生器２との間に熱交換器６を設け、この熱交換器６で空気圧縮機１からの圧縮空気を加熱源とし、冷却媒体供給部１１から冷却媒体供給系１２、排熱回収ボイラ１０、蒸気生成系１５を介して供給される冷却媒体を蒸気に生成し、生成した蒸気のうち、一部を圧縮空気・冷却媒体合流系１３を介して熱交換器６で温度を低くさせた圧縮空気に合流させ、その合流流体を再生器２、ガスタービン燃焼器３、ガスタービン４の順に供給する構成にしたので、再生器２におけるガスタービン４からの排熱と合流流体との熱交換を良好に維持させてより一層高比出力化を図ることができる。
【図面の簡単な説明】
【００４６】
【図１】本発明に係る再生式ガスタービンプラントに蒸気タービンおよび排熱回収ボイラを組み合わせたコンバインドサイクル発電プラントの第１実施形態を示す系統ブロック図。
【図２】本発明に係る再生式ガスタービンプラントに蒸気タービンおよび排熱回収ボイラを組み合わせたコンバインドサイクル発電プラントの第２実施形態を示す系統ブロック図。
【図３】本発明に係る再生式ガスタービンプラントに蒸気タービンおよび排熱回収ボイラを組み合わせたコンバインドサイクル発電プラントの第３実施形態を示す系統ブロック図。
【符号の説明】
【００４７】
１  空気圧縮機
２  再生器
３  ガスタービン燃焼器
４  ガスタービン
５  発電機
６  熱交換器
７  再生式ガスタービンプラント
８  発電機
９  蒸気タービン
１０  排熱回収ボイラ
１１  冷却媒体供給部
１２  冷却媒体供給系
１３  圧縮空気・冷却媒体合流系
１４  冷却媒体回収系
１５  蒸気生成系
１５ａ  第１蒸気生成系
１５ｂ  第２蒸気生成系
１６  ガスタービン燃焼器蒸気冷却系
１７  ガスタービン蒸気冷却系
１８  蒸気供給系
１９  排熱回収系
２０  冷却空気供給系
２１  循環系
【図１】
2005214143.tif 000003
【図２】
2005214143.tif 000004
【図３】
2005214143.tif 000005